(57)【要約】【課題】手軽に導入でき、既存の設備を活かしながら温湿度の均一化を図る空調設備を提供する。【解決手段】空気循環装置１００Ａは、エアコン室内機４が設置されている第一空間１に設けられ、エアコン室内機４の上方に位置する吹出口２０と、第一空間１と通気可能である第二空間２に設けられ、第二空間２の空気を吸い込む吸込口１０と、吸込口１０から吸い込まれた空気が吹出口２０へ運ばれる経路となる還気経路３０と、還気経路３０に設けられ、還気経路３０内の空気を移動させるファン４０と、ファン４０の動作を制御する制御部６０とを備え、吸込口１０から吸い込まれた空気を吹出口２０から吹き出して、第一空間１と第二空間２との間で空気を循環させる。【選択図】図１
0003232152.tif 000002
【実用新案登録請求の範囲】
【請求項１】
エアコン室内機が設置されている第一空間に設けられ、前記エアコン室内機の上方に位置する吹出口と、
前記第一空間と通気可能である第二空間に設けられ、前記第二空間の空気を吸い込む吸込口と、
前記吸込口から吸い込まれた空気が前記吹出口へ運ばれる経路となる還気経路と、
前記還気経路に設けられ、前記還気経路内の空気を移動させるファンと、
前記ファンの動作を制御する制御部と
を備え、
前記吸込口から吸い込まれた空気を前記吹出口から吹き出して、前記第一空間と前記第二空間との間で空気を循環させる空気循環装置。
【請求項２】
前記吸込口は、前記第二空間の天井に位置し、
前記還気経路としてダクトを設ける請求項１に記載の空気循環装置。
【請求項３】
前記ダクトは、前記第一空間及び前記第二空間の天井に沿って、天井の上に位置する請求項２に記載の空気循環装置。
【請求項４】
前記ダクトは、前記第一空間及び前記第二空間の天井に沿って、天井の下に位置する請求項２に記載の空気循環装置。
【請求項５】
前記第一空間及び前記第二空間に亘る置床を設置し、
前記吸込口は、前記置床に位置し、
前記還気経路の一部として前記置床の下の空間を使用する請求項１に記載の空気循環装置。
【請求項６】
前記制御部は、前記エアコン室内機が動作しているときは前記ファンを動作させ、前記エアコン室内機が動作を停止しているときは前記ファンの動作を停止させる請求項１乃至請求項５の何れか一項に記載の空気循環装置。
【考案の詳細な説明】
【技術分野】
【０００１】
本考案は、住宅内の空気を循環させることによって、エアコン室内機と組み合わせて空調を行う技術に関する。
【背景技術】
【０００２】
住宅空調では、エアコン室内機を各室に個別に設置して空調を行う個別空調が普及している。個別空調は、手軽に施工できる反面、玄関、廊下、階段等の空調空気が届きにくい箇所との間に温度差が生じてしまう。
個別空調に対し、温度差が生じにくい空調設備として、住宅向けの全館空調が提案されている。例えば特許文献１には、天井裏等の住宅の構造躯体空間をリターンダクトとして使用する全館空調制御システムが記載されている。特許文献１の全館空調制御システムは、室温センサや静圧センサを各部屋に設けて、天井裏等に設置する１台のエアコン室内機の空調能力及び各部屋に設置する通気ファンの風量を制御している。
【先行技術文献】
【特許文献】
【０００３】
【特許文献１】特開平９−７９６４８号公報
【考案の概要】
【考案が解決しようとする課題】
【０００４】
全館空調の設備は住宅全体に亘るものであり、価格も高く、施工も大掛かりとなるため、手軽に設置できるとはいえない。また、既設のエアコン等の設備が無駄になってしまう場合もある。全館空調までは必要ないが、エアコンからの空気が届きにくい箇所や隣接する空間にまで空調範囲を広げたいという場合もある。
本考案は、このような問題を解決するためになされたものであり、手軽に導入でき、既存の設備を活かしながら温湿度の均一化を図る空調設備を提供することを課題とする。
【課題を解決するための手段】
【０００５】
かかる課題を解決するために、本考案に係る空気循環装置は、エアコン室内機が設置されている第一空間に設けられ、前記エアコン室内機の上方に位置する吹出口と、前記第一空間と通気可能である第二空間に設けられ、前記第二空間の空気を吸い込む吸込口と、前記吸込口から吸い込まれた空気が前記吹出口へ運ばれる経路となる還気経路と、前記還気経路に設けられ、前記還気経路内の空気を移動させるファンと、前記ファンの動作を制御する制御部とを備え、前記吸込口から吸い込まれた空気を前記吹出口から吹き出して、前記第一空間と前記第二空間との間で空気を循環させる。
【０００６】
この構成によれば、制御部によって制御される還気経路のファンによって、第二空間の空気が吸込口から吸い込まれ、吹出口の方向へ移動して、エアコン室内機の上方の吹出口から吹き出されるため、第二空間の空気をエアコン室内機に届けることができる。また、第二空間の空気が吸込口から吸い込まれることで、エアコン室内機によって空調された空気が第二空間の吸込口に向かって移動する。このため、エアコン室内機から吸込口に至る空間にある空気を空調された空気によって効率よく置換して、第一空間及び第二空間の温湿度を均一化することができる。
また、全館空調と比較して後付けで施工しやすく、必要な第二空間を選んでエアコンによる空調範囲を手軽に広げることができる。
【０００７】
本考案に係る空気循環装置は、前記吸込口は、前記第二空間の天井に位置し、前記還気経路としてダクトを設けるのが好ましい。
この構成によれば、吸込口が天井に位置するため、日常生活における動線や家具等の配置に影響しない。また、還気専用のダクトを設けることによって、第二空間の空気をエアコン室内機まで確実に移動させることができる。
【０００８】
本考案に係る空気循環装置は、前記ダクトは、前記第一空間及び前記第二空間の天井に沿って、天井の上に位置するのが好ましい。
この構成によれば、天井裏にダクトを配置するため、室内の美観を損なわず、室内を狭くすることなく空気循環装置を設置することができる。
【０００９】
本考案に係る空気循環装置は、前記ダクトは、前記第一空間及び前記第二空間の天井に沿って、天井の下に位置するのが好ましい。
この構成によれば、天井裏に入り込んでダクトを配置する工事が不要となり、梁などの建築構造部材に干渉する恐れもないため、より手軽に空気循環装置の施工を行うことができる。
【００１０】
本考案に係る空気循環装置は、前記第一空間及び前記第二空間に亘る置床を設置し、前記吸込口は、前記置床に位置し、前記還気経路の一部として前記置床の下の空間を使用するのが好ましい。
この構成によれば、置床を設置して吸込口を設置するので、既存の床を加工しなくてよく、還気経路の一部として置床の下の空間を使用して、空間を有効に利用することができる。また、吸込口が床にあることによって、床に近い足元の空気の温湿度が均一化されやすい。また、冬期には床表面温度が室温と同等になるため、快適性が増大する。
【００１１】
本考案に係る空気循環装置は、前記制御部は、前記エアコン室内機が動作しているときは前記ファンを動作させ、前記エアコン室内機が動作を停止しているときは前記ファンの動作を停止させるのが好ましい。
この構成によれば、エアコン室内機の動作しているときにのみファンを動作させることができるため、ファンを動作させるためのエネルギー消費量を抑えることができ、操作の手間も不要になる。
【考案の効果】
【００１２】
本考案によれば、温湿度の均一化を図る空調設備を、既存の設備を活かしながら、必要に応じて手軽に導入することができる。
【図面の簡単な説明】
【００１３】
【図１】本考案の第一実施形態に係る空気循環装置を設置した住宅内の空間を示す概略断面図である。
【図２】本考案の第二実施形態に係る空気循環装置を設置した住宅内の空間を示す概略断面図である。
【図３】本考案に係る空気循環装置を設置する前の住宅内の空間を示す概略断面図である。
【考案を実施するための形態】
【００１４】
［第一実施形態］
本考案の第一実施形態に係る空気循環装置１００Ａについて図面を参照しながら説明する。図１に示すように、空気循環装置１００Ａは、エアコン室内機４が設置されている第一空間１に設けられ、エアコン室内機４の上方に位置する吹出口２０と、第一空間１と通気可能である第二空間２に設けられ、第二空間２の空気を吸い込む吸込口１０と、吸込口１０から吸い込まれた空気が吹出口２０へ運ばれる経路となる還気経路３０と、還気経路３０に設けられ、還気経路３０内の空気を移動させるファン４０と、ファン４０の動作を制御する制御部６０とを備えている。空気循環装置１００Ａは、吸込口１０から吸い込んだ空気を吹出口２０から吹き出して、第一空間１と第二空間２との間で空気を循環させている。
【００１５】
第一空間１は、例えば住宅内の居室又は居室の一部である。第一空間１には、エアコン室内機４が設置されている。エアコン室内機４は、一例として壁掛け形であり、上部から吸い込んだ空気を空調して下部から吹き出している。
第一空間１には、境界３を境界として、第二空間２が隣接している。第二空間２は、例えば居室や居室の一部、廊下、階段、玄関等であり、図３に示すように、従来はエアコン室内機４で空調された空気が届きにくい空間である。なお、例えば、エアコン室内機４が設置されている居室内であっても、第二空間２となる場合がある。
境界３は、第一空間１と第二空間２との間の通気が可能な境界である。境界３には、例えばアンダーカットやガラリ等を有する扉や壁、衝立による仕切り等が含まれる。なお、天井や壁にパスダクト等の通気手段が設けられていれば、通気が可能であり、第一空間１と第二空間２とが隣接していなくてもよい。
【００１６】
吸込口１０は、第二空間２の空気が吸い込まれる入口である。吸込口１０は、第二空間２の天井を開口して設けられ、還気経路３０の一端に接続されている。吸込口１０は、例えばエアコン室内機４からできるだけ離れた位置に配置している。
吹出口２０は、第一空間１に空気が吹き出される出口である。吹出口２０は、第一空間１の天井を開口して設けられ、還気経路３０の他端に接続されている。吹出口２０は、エアコン室内機４近くの上方に位置し、エアコン室内機４の空気を吸い込む部分に向けて空気を吹き出している。
【００１７】
還気経路３０は、両端に接続口を有する閉じた空間である。接続口の一端は吸込口１０に接続され、他端は吹出口２０に接続されている。還気経路３０は、ここでは、第一空間１及び第二空間２の天井裏に位置するダクト３１である。還気経路３０には、吸込口１０から吹出口２０へ向かう方向に空気を移動させるファン４０が設けられている。ファン４０が還気経路３０内の空気を移動させることによって、吸込口１０から第二空間２の空気が吸い込まれ、吹出口２０から第一空間１に吹き出される。
制御部６０は、ファン４０の動作を制御する装置である。制御部６０は、ここでは、ファン４０の動作又は停止を選択するスイッチが設けられている。スイッチは、居住者が操作することができ、エアコン室内機４のОＮ、ＯＦＦ動作に連動して、ファンを自動的にＯＮ、ＯＦＦすることもできる。
【００１８】
［第二実施形態］
次に、本考案の第二実施形態に係る空気循環装置１００Ｂについて図面を参照しながら説明する。なお、空気循環装置１００Ａと共通する構成については、同じ符号を付して、重複する説明を省略する。
図２に示すように、空気循環装置１００Ｂは、第一空間１及び第二空間２に亘る置床５０を設置している。吸込口１０は、置床５０を開口して設けられている。置床の下の空間３２は、還気経路３０の一部として使用されている。
【００１９】
置床５０は、第一空間１及び第二空間２の床の上に、さらに設ける床である。置床５０は、第一空間１及び第二空間２の床から間隔を空けて設けられている。置床の下の空間３２は、中継口３５でダクト３１と接続され、還気経路３０の一部となっている。中継口３５は、第一空間１の壁を開口して設けられている。
ファン４０及びダクト３１は、第一空間１の壁の外側に位置している。吹出口２０は、第一空間１の壁を開口して設けられ、エアコン室内機４近くの上方に位置している。吹出口２０は、エアコン室内機４の空気を吸い込む部分に向けて空気を吹き出している。ファン４０及びダクト３１は、第一空間１の壁の内側に位置してもよい。
【００２０】
空気循環装置１００Ａ、１００Ｂは、空調された空気が届きにくい第二空間２の空気をエアコン室内機４の近くに届けて空調させることができる。そして、第二空間２の空気が吸込口１０から吸い込まれることで、エアコン室内機４によって空調された空気が第二空間２の吸込口１０に向かって移動し、エアコン室内機４から吸込口１０に至る空間の空気が、空調された空気によって効率よく置換される。空気循環装置１００Ａ、１００Ｂは、空気を置換し循環させることによって、第一空間１及び第二空間２の温湿度を均一化することができる。
【００２１】
空気循環装置１００Ａ、１００Ｂは、第一空間１に設置するエアコン室内機４を利用して、第二空間２を含めた空調を行うことができる。空調したい第二空間２は、必要に応じて選ぶことができる。また、第一空間１にエアコン室内機４がすでに設置されている場合でも、後付けで容易に設置することができる。
空気循環装置１００Ａ、１００Ｂは、施工の規模や費用を抑え、既存の設備を活用し、必要十分な空調設備を導入することができる。空気循環装置１００Ａ、１００Ｂは、全館空調に比較して手軽な施工内容で安価に導入することができ、全館空調に準ずる程度に小さい温湿度のムラを実現することができる。
【００２２】
なお、図示は省略するが、第一実施形態に係る空気循環装置１００Ａにおいて、天井裏に設けているダクト３１及びファン４０は、天井の下に設けてもよい。ダクト３１及びファン４０を天井の下に設ける場合には、天井に開口を設ける必要はなく、ダクト３１の両端部をそれぞれ吸込口１０、吹出口２０とすればよい。
また、第二実施形態に係る空気循環装置１００Ｂにおいて、置床の下の空間３２に、中継口３５からダクト３１を延長して配置し、吸込口１０に接続してもよい。第一空間１の壁の外側に設けているダクト３１及びファン４０は、壁の内側に設けてもよい。ダクト３１及びファン４０を壁の内側に設ける場合には、壁に開口を設ける必要はなく、置床５０を開口して中継口３５を設けてダクト３１の一端を接続し、他端を吹出口２０とすればよい。また、置床５０は、第一空間１及び第二空間２の床に対して、全面に設けなくてもよい。例えば、第一空間１及び第二空間２の壁に沿って、床の一部を高くするように設けてもよい。
【００２３】
空気循環装置１００Ａ、１００Ｂにおいて、制御部６０は、エアコン室内機４のＯＮ、ＯＦＦと連動させて、エアコン室内機４がＯＮのときのみファン４０を動作させるようにしてもよい。ファン４０の風量は、例えば、ダイヤル式のつまみで風量を変化させるようにしてもよいし、エアコン室内機４の風量の１２０％のように、エアコン室内機４の風量に連動させてもよい。
例えば、制御部６０をエコーネットライト（登録商標）に対応させて、ファン４０のＯＮ、ＯＦＦや風量を制御させるようにすれば、家庭内の無線ネットワーク等を利用して、空気循環装置１００Ａ、１００Ｂをエアコン室内機４に連動させて制御することができる。また、エアコン室内機４の空気を吸い込む部分及び吹き出す部分にそれぞれ温度センサを取り付けて、それらの温度差が所定の値よりも大きくなったときにファン４０を動作させるように、制御部６０によって制御してもよい。
【００２４】
なお、ファン４０の風量は、エアコン室内機４から吸込口１０に至る経路で発生する熱・湿気負荷の処理に必要十分な風量とするのが好ましい。熱・湿気負荷は、第一空間１及び第二空間２に置かれている器具等から発生する水蒸気の量や、壁を介して外部とやり取りする熱量等から計算によって求めることができる。
また、第二空間を複数設けてもよい。第二空間を複数設ける場合、複数の第二空間のそれぞれに吸込口を設け、それぞれの吸込口から還気経路を設けて、複数の還気経路を吹出口２０の手前で集約させて、一つの吹出口２０から吹き出すようにしてもよい。ファンは、複数の還気経路それぞれに設けてもよく、一つのファンに集約させて吹出口２０の手前に設けてもよい。
【符号の説明】
【００２５】
１          第一空間
２          第二空間
３          境界
４          エアコン室内機
１０        吸込口
２０        吹出口
３０        還気経路
３１        ダクト
３２        置床の下の空間
４０        ファン
５０        置床
６０        制御部
１００Ａ    空気循環装置（第一実施形態）
１００Ｂ    空気循環装置（第二実施形態）
【図１】
0003232152.tif 000003
【図２】
0003232152.tif 000004
【図３】
0003232152.tif 000005